(57)【特許請求の範囲】
【請求項１】
螺旋部分がある柱部分と該柱部分の上端にある多角形の結合部分と上記柱部分の下端にある円錐形ブロックから成る可動柱部分と、上記柱部分が貫く貫通穴と該貫通穴の内壁に形成されて上記螺旋部分と螺合する螺旋溝と上部のやや外に向かって広がった傾斜円錐形部分から成り瓶の口の内部に挿入される弾力性のある部分と、上記結合部分に固定される回転ねじから構成され、該回転ねじを回すことにより上記可動柱部分の柱部分が弾力性のある部分の貫通穴内を上下移動するキャップにおいて、
上記円錐形ブロックには横向きに貫通した入口通路があって、該入口通路は上記可動柱部分の内部を縦向きに貫通した出口通路に通じ、該出口通路は回転ねじの貫通出口に通じていて、上記柱部分の上下移動に伴って、上記入口通路の入口が上記弾力性のある部分により開いたり塞がれたりするように構成されることを特徴とする漏れないキャップ。
【請求項２】
柱部分と該柱部分の下端にある円錐形ブロックから成る可動柱部分と、上記柱部分が貫く貫通穴を有し容器の缶の口に固定される弾力性のある部分と、上記柱部分の上端に先端が取り付けられ中間を容器に枢着されたリングプルから構成され、該リングプルを引き上げたり下に押すことにより上記可動柱部分の柱部分が弾力性のある部分の貫通穴内を上下移動するキャップにおいて、
上記円錐形ブロックには入口通路があって、該入口通路は上記可動柱部分の内部を縦向きに貫通した出口通路に通じていて、上記柱部分の上下移動に伴って、上記入口通路の入口が上記弾力性のある部分より露出したり塞がれたりするように構成されることを特徴とする漏れないキャップ。
【発明の詳細な説明】
【０００１】
【発明の属する技術分野】
本発明は漏れないキャップに関する。本発明の漏れないキャップは、ブラインドタイプのキャップ構造で、容器との組み合わせがしやすく、見た目にも美しい上に、漏れを防ぐ効果に優れ、開けやすいという特徴を有する。
【０００２】
【従来の技術】
従来のキャップは、底の部分が突出した形態で、先が細くなったものか、弾力性のあるキャップ部分を瓶の口にねじ込むようになっている。
【０００３】
【発明が解決しようとする課題】
しかしながら、容器の口はある程度の長さがないと、キャップの密接度が低くなる。したがって、キャップは外観上、それほど大きな変化がなく、デザイン的に単調で、さまざまなニーズに対応することはむずかしい。
【０００４】
【課題を解決するための手段】
本発明の漏れないキャップは、螺旋部分がある柱部分と該柱部分の上端にある多角形の結合部分と上記柱部分の下端にある円錐形ブロックから成る可動柱部分と、上記柱部分が貫く貫通穴と該貫通穴の内壁に形成されて上記螺旋部分と螺合する螺旋溝と上部のやや外に向かって広がった傾斜円錐形部分から成り瓶の口の内部に挿入される弾力性のある部分と、上記結合部分に固定される回転ねじから構成され、該回転ねじを回すことにより上記可動柱部分の柱部分が弾力性のある部分の貫通穴内を上下移動するキャップにおいて、上記円錐形ブロックには横向きに貫通した入口通路があって、該入口通路は上記可動柱部分の内部を縦向きに貫通した出口通路に通じ、該出口通路は回転ねじの貫通出口に通じていて、上記柱部分の上下移動に伴って、上記入口通路の入口が上記弾力性のある部分により開いたり塞がれたりするように構成されることを特徴とする。
また、本発明の漏れないキャップは、柱部分と該柱部分の下端にある円錐形ブロックから成る可動柱部分と、上記柱部分が貫く貫通穴を有し容器の缶の口に固定される弾力性のある部分と、上記柱部分の上端に先端が取り付けられ中間を容器に枢着されたリングプルから構成され、該リングプルを引き上げたり下に押すことにより上記可動柱部分の柱部分が弾力性のある部分の貫通穴内を上下移動するキャップにおいて、上記円錐形ブロックには入口通路があって、該入口通路は上記可動柱部分の内部を縦向きに貫通した出口通路に通じていて、上記柱部分の上下移動に伴って、上記入口通路の入口が上記弾力性のある部分より露出したり塞がれたりするように構成されることを特徴とする。
本発明の漏れないキャップは、ブラインド方式になっているので、瓶の口の内部に挿入されている。したがって、従来に比べ、瓶の口の長さを明らかに短くすることが可能である。そして、容器のデザインの影響を受けにくい。さらに、本発明の漏れないキャップは、容器の口との間を密接に防ぎ、漏れにくくしている。瓶の口に弾力性のあるキャップを組み合わせることで、この効果はさらに優れ、容器内の液体が漏れ出すのを防ぐ効果がより発揮される。その上、開けやすいという特徴を有する。
【０００５】
【発明の実施の形態】
図１及び図２を参照いただきたい。キャップ１は、可動柱部分１１、弾力性のある部分１２及び回転ねじ１３からなる。可動柱部分１１の柱部分１１１には螺旋部分１１２がある。柱部分１１１の上端には、多角形の結合部分１１３があり、下端は直径のやや大きい円錐形ブロック１１４になっている。可動柱部分１１は柱部分１１１が上記弾力性のある部分１２の貫通穴１２１の中を貫いていて、上記螺旋部分１１２が貫通穴１２１の内壁の螺旋溝１２２と螺合する。可動柱部分１１の結合部分１１３は回転ねじ１３の下方内側の結合溝１３１に固定される。上記弾力性のある部分１２は瓶の口２１内に挿入され容器２内に落ち込まないようになっている。１４は内部はめこみパーツである。
【０００６】
したがって、回転ねじ１３を回転させることにより、可動柱部分１１が回転しながら、弾力性のある部分１２の貫通穴１２１内を上下移動する。可動柱部分１１が上に移動すると、上記円錐形ブロック１１４は弾力性のある部分１２を押し広げ、弾力性のある部分１２は容器２の瓶の口２１の位置に固定される。そして、弾力性のある部分１２の上部の、やや外に向かって広がった傾斜円錐形部分１２３によって、弾力性のある部分１２が容器２内に落ち込むのを防ぐ。可動柱部分１１が下に移動して、円錐形ブロック１１４が弾力性のある部分１２の下方外部に突出すると、弾力性のある部分１２が押し広げられることがなく、キャップ１を瓶の口２１から取り出すことができる。
【０００７】
また、可動柱部分１１の下方の円錐形ブロック１１４には横向きに貫通した入口通路１１５があって、この入口通路１１５は可動柱部分１１の内部を縦向きに貫通した出口通路１１６に通じている。該出口通路１１６は回転ねじ１３の貫通出口１３２とも通じている。
【０００８】
したがって、円錐形ブロック１１４が弾力性のある部分１２の下方に位置する時には、弾力性のある部分１２が上記入口通路１１５を開いて、容器２内の液体は可動柱部分１１の上記入口通路１１５および出口通路１１６を経て、回転ねじ１３の貫通出口１３２から注ぐことが可能である。可動柱部分１１の円錐形ブロック１１４が上に向かって移動し締められると、弾力性のある部分１２は入口通路１１５を塞ぎ、容器２内の液体が流れ出ることはない。
【０００９】
図３及び図４は、本発明の漏れないキャップの別の実施例を示すものであり、容器２’の上端は缶の口２１’になっている。この缶の口２１’の一方の側にはくぼみ２２’がある。缶の口２１’内には、キャップ３が設置され、そのキャップ３は、可動柱部分３１、弾力性のある部分３２及びリングプル３３からなる。そのうち、弾力性のある部分３２は柔らかくて弾力性のある材質でできている。そして、容器２’の缶の口２１’の位置に固定され、弾力性のある部分３２の中央には貫通穴３２１が通っていて、可動柱部分３１も柱部分が貫通して弾力性のある部分３２内部に密着する。可動柱部分３１は弾力性のある部分３２の内部の貫通穴３２１の中に埋め込まれている。可動柱部分３１の下部には円錐形ブロック３１２がある。
【００１０】
上記可動柱部分３１の中央軸には縦方向に貫通する出口通路３１１がある。また、下方の円錐形ブロック３１２には数個の入口通路３１３が開いていて、それは上記出口通路３１１に連なっている。そして、可動柱部分３１の上端にはリングプル３３が取り付けてある。該リングプル３３の先端は上記柱部分の上端に取り付けられ、該リングプル３３の中間は容器に枢着されている。そのリングプル３３は、くぼみ２２’内に納まっている。
【００１１】
図４を参照されたい。リングプル３３が上に引かれると、可動柱部分３１は下に移動して、円錐形ブロック３１２を弾力性のある部分３２から下方に突出せしめると入口通路３１３が露出する。したがって、容器２’内の液体は出口通路３１１から注ぐことができる。リングプル３３を下に押すと、可動柱部分３１が上に引上げられ、円錐形ブロック３１２が弾力性のある部分３２によって圧迫される。したがって、入口通路３１３が塞がれて、容器２’内の液体は漏れ出すことがない。
【００１２】
【発明の効果】
本発明の漏れないキャップは、ブラインド形式で瓶の口の内部に挿入される。したがって、従来に比べ、瓶の口の長さを明かに短くすることが可能である。そして、いかなる容器にも対応できるという特徴がある。
また、本発明の漏れないキャップは、瓶の口に弾力性のあるキャップを組み合わせることにより、容器内の液体（物）を漏れにくくすることが可能で、従来のキャップに比べ、漏れを防ぐ効果がはるかに高い。
【図面の簡単な説明】
【図１】  本発明の漏れないキャップの一実施例を示す部分断面斜視図である。
【図２】  図１の漏れないキャップの作用説明図である。
【図３】  本発明の漏れないキャップの別の実施例の部分断面斜視図である。
【図４】  図３の漏れないキャップの作用説明図である。
【符号の説明】
１、１’  キャップ              ２、２’    容器
１１  可動柱部分              ２１  瓶の口        ２１’  缶の口
１１１  柱部分 ２２’    くぼみ
１１２  螺旋部分 ３      キャップ
１１３  結合部分 ３１    可動柱部分
１１４  円錐形ブロック ３１１  貫通出口
１１５    入口 ３１２  円錐形ブロック
１１６    貫通出口 ３１３  入口
１２      弾力性のある部分    ３２    弾力性のある部分
１２１    貫通穴 ３２１  貫通穴
１２２    螺旋溝 ３３    リングプル
１２３    傾斜円錐部分
１３      回転ねじ
１３１    結合溝
１３２    貫通出口
１４      内部はめ込みパーツ
【図１】
0004020801.tif 000002
【図２】
0004020801.tif 000003
【図３】
0004020801.tif 000004
【図４】
0004020801.tif 000005